(57)【特許請求の範囲】
【請求項１】
上面に開口を有し加熱源を収納するとともにキッチンカウンターに設けられた開口部に嵌入する本体外郭と、前記上面の開口を覆うように前記本体外郭に固定され下面が前記キッチンカウンターに載置されるトッププレートユニットとを有する本体を備えた組込み型加熱調理器であって、
前記トッププレートユニットは、被加熱物を載置するトッププレートと、該トッププレートを上面に載置して保持するとともに、前記キッチンカウンターの上面に周縁部が対向するアンダーフレームと、前記トッププレートの外周縁の上部を覆う飾り板とを有し、前記飾り板は、その外周縁部が前記アンダーフレームの外周縁部を挟み込むように前記アンダーフレームの下面側に折り曲げられて形成された折り合わせ部を有することを特徴とする組込み型加熱調理器。
【請求項２】
前記折り合わせ部の少なくとも一部が前記アンダーフレームの外周縁部と前記キッチンカウンターの上面とで挟み込まれ、前記本体の全重量の一部又は全部が前記折り合わせ部の少なくとも一部に加わる構成としたことを特徴とする請求項１に記載の組み込み型加熱調理器。
【請求項３】
前記アンダーフレームは、前記トッププレートを載置する面が、前記飾り板が載置される前記キッチンカウンターの上面より低くなるように構成したことを特徴とする請求項１または２に記載の組込み型加熱調理器。
【請求項４】
前記アンダーフレームは、前記本体を前記キッチンカウンターの開口部に嵌入させた場合に、前記飾り板の折り合わせ部と重なる部分を除く前記アンダーフレームの下面と前記キッチンカウンターの上面との間に所定の距離を確保し、前記アンダーフレームの下面であって前記所定の距離が確保できる位置にシール材を配設したことを特徴とする請求項１乃至３のいずれか１項に記載の組込み型加熱調理器。
【請求項５】
前記トッププレートと前記アンダーフレームと前記飾り板を同時に接着固定する構成としたことを特徴とする請求項１乃至４のいずれか１項に記載の組み込み型加熱調理器。
【請求項６】
前記トッププレートの端縁部下方における前記アンダーフレームに下方に突出する接着剤収容溝を設け、該接着剤収容溝に塗布された接着剤により前記トッププレートと前記アンダーフレームと前記飾り板を同時に接着固定する構成としたことを特徴とする請求項５に記載の組み込み型加熱調理器。
【請求項７】
請求項１乃至５のいずれか１項に記載の組み込み型加熱調理器が嵌入する開口部が形成されたキッチンカウンターであって、
前記組み込み型加熱調理器が載置される上面と、該上面における前記開口部の周縁に該上面より低くなるように形成された段部とを有し、前記折り合わせ部の下面を前記上面に当接させる一方、前記アンダーフレームの底面と前記段部の上面との間に所定のクリアランスを設けたことを特徴とするキッチンカウンター。
【請求項８】
請求項６に記載の組み込み型加熱調理器が嵌入する開口部が形成されたキッチンカウンターであって、
前記組み込み型加熱調理器が載置される上面と、該上面における前記開口部の周縁に該上面より低くなるように形成された段部とを有し、前記折り合わせ部の下面を前記上面に当接させる一方、前記接着剤収容溝の底面と前記段部の上面との間に所定のクリアランスを設けたことを特徴とするキッチンカウンター。
【発明の詳細な説明】
【技術分野】
【０００１】
本発明は、一般家庭のキッチンカウンター内に組み込まれる組込み型加熱調理器及びこの加熱調理器が組み込まれるキッチンカウンターに関する。
【背景技術】
【０００２】
従来、この種の組込み型加熱調理器は、図８に代表される誘導加熱調理器のトッププレートユニットの構成において、トッププレートをアンダーフレームとフレームで挟み込み、所定の部位を接着固定してアンダーフレームの下面をキッチンカウンターの天面に載置する構成としている。
【０００３】
すなわち、図８に示すように、誘導加熱調理器４１のトッププレートユニット４２は、トッププレート４３をアンダーフレーム４４に載置してフレーム４５を上方から被せて所定の嵌合部位を接着剤４６で接着固定している。トッププレートユニット４２は本体４７の開口を塞ぐようにねじ締め等の固定手段により固定されている。誘導加熱調理器４１は、キッチンカウンター４８内に組み込まれると、トッププレートユニット４２のアンダーフレーム４４の下面が、キッチンカウンター４８の天面と接して誘導加熱調理器４１の全重量を支え、保持する構成となっている。
【０００４】
また、組込み型ガスコンロに代表されるものでは、天板を直にキッチンカウンターの天面に載置して、略同一面とする構成のものが提供されている（例えば、特許文献１参照）。
【０００５】
図９は、特許文献１に記載された従来の組込み型の調理器の一例を示すものであり、図９に示すように、ガスコンロ５１は、略中央にガスバーナー５２を配設し、板厚で構成した天板５３をキッチンカウンター５４の天面に載置し、天板５３に五徳５５を配設して鍋５６を載置し、ガスバーナー５２で加熱するようになっている。ガスコンロ５１の本体５７は、キッチンカウンター５４の天面から一段低い段差開口面５８にフランジ部５９を載置して本体５７の重量を支え、保持する構成となっている。
【０００６】
【特許文献１】特開平１１−１６６７３９号公報
【発明の開示】
【発明が解決しようとする課題】
【０００７】
しかしながら、図８に示される構成では、トッププレート４３とアンダーフレーム４４とフレーム４５は、互いに接着剤４６で接着により固定されているため、接着はがれによりトッププレート４３が自重で下方に落ち込み、トッププレート４３とフレーム４５との間に隙間が生じ、本体４７の内部に調理中の煮こぼれによる水等が浸入する恐れがあるという課題を有していた。
【０００８】
また、トッププレートユニット４２はトッププレート４３とアンダーフレーム４４とフレーム４５を積み重ねた構成であるので、トッププレートユニット４２の上下方向の厚みは少なくともそれら３部品の厚みの合計となり、キッチンカウンター４８の天面とトッププレートユニット４２の上面との段差は明らかに大きくなり、トッププレート４３は平滑であるもののキッチンカウンター４８の天面のデザイン性を損なうばかりか、段差部位に溜まりやすい埃や汚れが目立ち、清掃性が悪いという課題を有していた。
【０００９】
また、図９に示される構成では、板厚だけの天板５３であれば、キッチンカウンター５４の天面と略同一面の天板５３の面を構成できるが、最近では調理面のフラット性を高めたガラストップのガスコンロが脚光を浴びており、天板にガラスをはめ込んだ構成にあっては、キッチンカウンター５４の天面と略同一面の天板５３の面を構成することができないという課題を有していた。
【００１０】
本発明は、従来技術の有するこのような問題点に鑑みてなされたものであり、本体内部に水が浸入することがなく、堅牢性やデザイン性や清掃性に優れた組込み型加熱調理器を提供することを目的としている。
【課題を解決するための手段】
【００１１】
上記目的を達成するために、本発明は、上面に開口を有し加熱源を収納するとともにキッチンカウンターに設けられた開口部に嵌入する本体外郭と、前記上面の開口を覆うように前記本体外郭に固定されるトッププレートユニットとを有する本体を備えた組込み型加熱調理器であって、前記トッププレートユニットは、被加熱物を載置するトッププレートと、該トッププレートを上面に載置して保持するとともに、前記キッチンカウンターの上面に周縁部下面が接して載置されるアンダーフレームと、前記トッププレートの外周縁の上部を覆う飾り板とを有し、前記飾り板は、その外周縁部が前記アンダーフレームの外周縁部を挟み込むように前記アンダーフレームの下面側に折り曲げられて形成された折り合わせ部を有することを特徴とする。
【００１２】
また、前記折り合わせ部の少なくとも一部が前記アンダーフレームの外周縁部とキッチンカウンターの上面とで挟み込まれ、前記本体の全重量の一部又は全部が前記折り合わせ部の少なくとも一部に加わるように構成することができる。
【００１３】
さらに、前記アンダーフレームは、前記トッププレートを載置する面が、前記飾り板が載置されるキッチンカウンターの上面より低くなるように構成してもよい。
【００１４】
また、前記アンダーフレームは、前記本体をキッチンカウンターの開口部に嵌入させた場合に、前記飾り板の折り合わせ部と重なる部分を除く前記アンダーフレームの下面とキッチンカウンターの天面との間に所定の距離を確保し、前記アンダーフレームの下面であって前記所定の距離が確保できる位置にシール材を配設するようにしてもよい。
【００１５】
また、前記トッププレートと前記アンダーフレームと前記飾り板を同時に接着固定することもできる。この場合、前記トッププレートの端縁部下方における前記アンダーフレームに下方に突出する接着剤収容溝を設け、該接着剤収容溝に塗布された接着剤により前記トッププレートと前記アンダーフレームと前記飾り板を同時に接着固定すればよい。
【００１６】
さらに、組み込み型加熱調理器が嵌入する開口部が形成されたキッチンカウンターが、前記組み込み型加熱調理器を載置する天面と、該天面における前記開口部の周縁に該天面より低くなるように形成された段部とを有し、前記折り合わせ部の下面を前記天面に当接させる一方、前記アンダーフレームの一部の下面と前記段部の上面との間に所定のクリアランスを設けた構成にするのが好ましい。この場合、前記アンダーフレームの一部が前記アンダーフレームから下方に突出する接着剤収容溝であってもよい。
【発明の効果】
【００１７】
本発明は、以上説明したように構成されているので、以下に記載されるような効果を奏する。
本発明によれば、飾り板の外周縁部をアンダーフレームの外周縁部を挟み込むようにアンダーフレームの下面側に折り曲げることにより折り合わせ部あるいは折曲部を設けたので、トッププレートをアンダーフレームと飾り板とで機械的に保持してトッププレートの脱落を防止することができ、トッププレートユニットの堅牢性が向上するとともに本体内部への水等の浸入を防止することができる。
【００１８】
また、アンダーフレームのトッププレート載置面が、飾り板が載置されるキッチンカウンターの上面より低くなるように設定すると、トッププレートの上面とキッチンカウンターの天面との段差を顕著に少なくし略同一面になるように構成することもでき、清掃性や使い勝手が向上し、システムキッチンのトータルデザイン性を向上することができる。
【００１９】
さらに、アンダーフレームの下面とキッチンカウンターの天面との間に所定の距離を確保し、この部位にシール材を配設すると、トッププレートユニットとキッチンカウンターの隙間が少なく、デザイン性を損なうことなくキッチンカウンター内への水や汚れの浸入を防止することができる。
【００２０】
また、トッププレートとアンダーフレームと飾り板を同時に接着固定すると、トッププレートユニットの組立工数を簡素化することができ、水や汚れの侵入経路を広範囲で遮断することができる。
【００２１】
また、加熱調理器が載置されるキッチンカウンターの開口部の周縁に天面より低い段部を形成し、トッププレートユニットの折り合わせ部の下面を天面に当接させる一方、アンダーフレームの一部の下面と前記段部の上面との間に所定のクリアランスを設けると、誘導加熱調理器の全重量を折り合わせ部で支えることができない事態が発生した場合に、アンダーフレームの底面が段部の上面に当接して、この当接部と折り合わせ部で加熱調理器の全重量を支えることができ、加熱調理器全体としての堅牢性が向上する。
【発明を実施するための最良の形態】
【００２２】
以下、本発明の実施の形態について、図面を参照しながら説明する。
実施の形態１．
図１は、本発明の第１の実施の形態における組込み型の誘導加熱調理器の要部断面図を示しており、図２及び図３は誘導加熱調理器を構成する本体ケース及びトッププレートユニットをそれぞれ示している。
【００２３】
図１乃至図３に示すように、誘導加熱調理器１の外郭は、上面に開口を有する箱状の本体ケース２と本体ケース２の上面開口を覆うように、本体ケース２に固定されるトッププレートユニット３を有している。トッププレートユニット３は、後方部において上方からねじ締めにより（例えば、３箇所）本体ケース２に設けられた固定片２ａに固定するとともに、トッププレートユニット３の前部近傍の下面から略垂直に垂れ下がるように設けられた取付フック４ａの先端を本体ケース２にビス締め固定（例えば、３箇所）する。
【００２４】
本体ケース２の内部には、トッププレートユニット３の上に載置された被加熱物（例えば金属鍋）を誘導加熱するための誘導加熱コイル１ａと、誘導加熱コイル１ａに高周波電流を供給するインバーター回路１ｂと、誘導加熱コイル１ａやインバーター回路１ｂを含む内部部品を冷却するための冷却装置１ｃが配設されている。
【００２５】
また、トッププレートユニット３は、セラミックなどの電気絶縁板で形成されたトッププレート５が、ステンレス板で枠状に形成された飾り板６と鉄板などの剛性のある金属材料で形成されたアンダーフレーム４とで挟持されて一体となるように構成されている。トッププレートユニット３には吸気口３ａと排気口３ｂが形成され、飾り板６とアンダーフレーム４には対応した開口部が設けられている。図３はトッププレートユニット３が組み立てられる前の状態を示しており、飾り板６の折り合わせ部８は、トッププレート５の上面に対して垂直下方に折り曲げられ、トッププレートユニット３が組み立てられた後にアンダーフレーム４の下面側に折り曲げられる。また、アンダーフレーム４の上にトッププレート５を載置する際に、アンダーフレーム４の本体ケース２の外側に位置する所定の部位（図１では、断面凹状に段押しにより形成された溝部４ｂ）に接着剤を塗布して、アンダーフレーム４とトッププレート５を接着固定している。
【００２６】
また、アンダーフレーム４は、トッププレート５の外周縁より外方向に、全周にわたって張り出すように形成されている。飾り板６は、その内周縁の端部がトッププレート５に接触し内側に向かって下方斜めに傾斜するように折り曲げられ、さらに、外方向に向かって下るように傾斜し、アンダーフレーム４の端部で内側に折り込まれ、アンダーフレーム４の下面に沿うように、かしめられて形成されている。また、飾り板６とトッププレート５の間には、トッププレート５の外周縁に沿ってその上面に塗布された接着剤１０が介在している。飾り板６のアンダーフレーム４の下面に折り込まれた部分とアンダーフレーム４のフランジ部７の面との間には隙間ができないようになっている。
【００２７】
以上のように構成された誘導加熱調理器１は、トッププレートユニット３の下面をキッチンカウンター９の天面に載置して配設される。以下、その作用、効果を説明する。
【００２８】
まず、トッププレート５は飾り板６との間を全周接着剤１０でシールされているので、調理面から本体ケース２内部への水や汚れた液体が侵入するのを防止する。トッププレート５とアンダーフレーム４との間は、本体ケース２の外側の所定の部位に設けられた接着剤により両者が相互に固定されるとともに、飾り板６が、枠状になっておりその内縁先端部でトッププレート５を上から押さえ、アンダーフレーム４の先端部で全周に渡って内側に折り曲げられて折り合わせ部（折曲部）８が形成され、飾り板６がアンダーフレーム４の外周端部全周を包み込むように、かしめられている。したがって、トッププレート５は、アンダーフレーム４に機械的にも固定されるため、仮に接着剤が劣化して接着力が弱くなったり、あるいは強い剥離力が働いたとしても、トッププレート５がアンダーフレーム４から脱落したり、トッププレート５と飾り板６との間に隙間ができることがなく、調理面から本体２内部への水や汚れの浸入を防止する。特にプレス加工などによる金属部品の接着は表面に付着した加工油を完全に脱脂しなければ接着性能に大きく影響するため、従来の接着のみに頼る構成と異なりトッププレートユニット３の堅牢性やシール性を高め、品質を安定させることができる。
【００２９】
なお、本実施の形態１では、組込み型の誘導加熱調理器で説明したが、本実施の形態で示したトッププレートユニットの構成は、例えばラジエントヒーターやガスを熱源とする加熱調理器であって、耐熱ガラスなどを天面に有する組込み型の加熱調理器に適用しても同様の作用、効果を奏する。
【００３０】
実施の形態２．
図４は、本発明の第２の実施の形態における組込み型の誘導加熱調理器の要部断面図である。なお、本実施の形態２の基本構成は実施の形態１と同様であるので、その説明は省略し、相違点を中心に説明する。また、実施の形態１と同じ機能には同じ符号を付して、その説明を省略する。
【００３１】
図１に示した実施の形態１のトッププレートユニット３の構成では、アンダーフレーム４のトッププレート５を載置する面の位置が、アンダーフレーム４及び飾り板１４の下端の折り込まれた部分が載置されるカウンター上面の位置よりも高くなっているのに対し、本実施の形態においては、図４に示すように、アンダーフレーム１３をトッププレート５の端縁部の外側で上方に立ち上げ、トッププレート５の上面より高い位置で外側に向かって略水平に折り曲げてフランジ部１７を形成し、フランジ部１７をキッチンカウンター１６に載置することにより、アンダーフレーム１３は、トッププレート５を載置する面より、飾り板１４の折り曲げた部分が載置されるキッチンカウンター１６の上面より低くなるように構成しており、この点において、上述した実施の形態１と相違している。
【００３２】
また、本実施の形態は、飾り板１４をフランジ部１７の下面と上面で密着して重なるように形成した点、フランジ部１７が外方向に向かって下がるように傾斜させた点、及びキッチンカウンター１６にその天面から一段低い位置で略水平に延びる段部１８を設け、この段部１８にトッププレート５がはまり込むように配置している点においても、上述した実施の形態１と相違している。
【００３３】
以上のように構成された組込み型の誘導加熱調理器について、以下その作用・効果を説明する。
【００３４】
アンダーフレーム１３は、トッププレート５を載置する面の位置より、飾り板１４の折り合わせ部１５が載置されるキッチンカウンター１６の上面より低くなるように構成されていることにより、図４に示すように、アンダーフレーム１３のフランジ部１７の面の位置をトッププレート５の上面に近い高さになるように配設することができる。飾り板１４の上面の高さはトッププレート５の肉厚を含まない寸法に設定できるため、キッチンカウンター１６の上面からトッププレートユニット１２の上面までの高さ寸法を顕著に小さくすることができ、誘導加熱調理器１の天面の清掃性、調理時の使い勝手が向上するとともに、デザイン性も向上する。
【００３５】
また、折り合わせ部１５の下面で誘導加熱調理器１の全重量の一部又は全部を支えて、キッチンカウンター１６の天面に載置する構成としているので、キッチンカウンター１６の上面とトッププレートユニット１２の外周端部における隙間を小さくすることができるので、さらに前記の効果を高めることができる。
【００３６】
加えて、アンダーフレーム１３の底面と段部１８の上面とのクリアランスを所定の値に設定すると、折り合わせ部１５の下面で誘導加熱調理器１の全重量を通常支えているものの、何らかの理由（例えば、想定外の重量物が調理面上に置かれる等）で誘導加熱調理器１の全重量を折り合わせ部１５の下面で支えることができない事態が発生して調理面であるトッププレート５が下方に沈み込むと、アンダーフレーム１３の底面が段部１８の上面に当接して、この当接部と折り合わせ部１５の下面で誘導加熱調理器１の全重量を支えることができ、不測の事態を回避することができる。
【００３７】
なお、アンダーフレーム１３と飾り板１４の形状は、本実施の形態２に記載された構成に限定されるものではなく、本実施の形態の意図する範囲で適宜変更してもよい。
【００３８】
実施の形態３．
図５は、本発明の第３の実施の形態における組込み型の誘導加熱調理器の要部断面図である。なお、本実施の形態３の基本構成は実施の形態２と同様であるので、その説明は省略する。また、実施の形態２と同じ構成のものには同じ符号を付してその説明を省略する。
【００３９】
実施の形態３においては、トッププレートユニット２０のアンダーフレーム２１に形成されたフランジ部２３に傾斜が設けられておらず水平である点、アンダーフレーム２１及び飾り板２２に適した材質及び寸法形状を示している点において実施の形態２に記載のものと相違する。
【００４０】
図５に示すように、トッププレートユニット２０を構成するアンダーフレーム２１の材質を溶融亜鉛メッキ鋼板とし、肉厚を０．８ｍｍに設定するとともに、飾り板２２の材質をＳＵＳ３０４、Ｎｏ．４表面仕上げとし、肉厚を０．３ｍｍに設定している。飾り板２２はフランジ部２３の上に密着して重ねられ、プレス加工で飾り板２２の折り合わせ部２４においてフランジ部２３の下側に折り曲げられ、かしめられることによって両者が一体となるように形成されている。
【００４１】
以上のように構成された誘導加熱調理器について、以下その動作、作用を説明する。
【００４２】
飾り板２２は肉厚を０．３ｍｍに設定し、アンダーフレーム２１のフランジ部２３の先端から下面に沿うように全周をプレス圧力で曲げてかしめることで、容易にフランジ部２３の面に密着して曲げ加工を行うことができる。また、飾り板２２は外観部品であるからＳＵＳ３０４、Ｎｏ．４表面仕上げとすることで錆びること無くデザイン性を向上することができる。また、アンダーフレーム２１の材質を溶融亜鉛メッキ鋼板で肉厚を０．８ｍｍに設定することで加工性に優れ、かつ剛性の強い構成にすることができる。
【００４３】
なお、飾り板２２の板厚は、上記材質であれば０．２ｍｍから０．７ｍｍの範囲か好ましく、アンダーフレーム２１の板厚は、０．５から１．１ｍｍの範囲が好ましい。また、飾り板２２は、デザイン性を高めるため、例えば溶融亜鉛メッキ鋼板にフッ素表面処理を施したものとしてもよい。飾り板２２の肉厚はできるだけ薄くして、アンダーフレーム４の肉厚に対して３０〜５０％が望ましい。
【００４４】
実施の形態４．
図６は、本発明の第４の実施の形態における組込み型の誘導加熱調理器の要部断面図である。なお、本実施の形態４の基本構成は実施の形態２と同様であるので、その説明は省略し、相違点を中心に説明する。また実施の形態２と同じ機能には同じ符号を付してその説明を省略する。
【００４５】
図６に示すように、本実施の形態においては、アンダーフレーム１３は、本体をキッチンカウンター１６に設けられた開口部に嵌入した場合に、飾り板１４の折り合わせ部１５と重なる部分を除くアンダーフレーム１３のフランジ部１７の下面とキッチンカウンター１６の天面との間に所定の距離を確保し、フランジ部１７の下面であって前記所定の距離が確保できる位置にシール材２５を配設した点である。すなわち、折り合わせ部１５をキッチンカウンター１６の天面に載置した時にできるフランジ部１７の下面（折り合わせ部１５のある部分を除く）とキッチンカウンター１６の上面との距離を０．５ｍｍ以上確保している。その部位のフランジ部１７の下面側に幅５ｍｍ、高さ５ｍｍ、最大圧縮代４．５ｍｍの発砲ウレタン製のシールテープ２５を貼り付けて構成している点である。
【００４６】
以上のように構成された誘導加熱調理器について、以下その作用・効果を説明する。
【００４７】
折り合わせ部１５を除くフランジ部１７の下面側に最大圧縮代４．５ｍｍの発砲ウレタン製のシールテープ２５を貼り付けることで、誘導加熱調理器１をキッチンカウンター１６内に組み込むと発砲ウレタン製のシールテープ２５が荷重により圧縮され、圧縮後の寸法が略０．５ｍｍとなり、折り合わせ部１５の位置する部分を除くフランジ部１７の下面とキッチンカウンター１６の上面との距離を０．５ｍｍ以上確保した構成としているため、折り合わせ部１５の下面が浮き上がることなく、常にキッチンカウンター１６の天面との隙間ができないようにすることができる。したがって、デザイン性を高め、かつキッチンカウンター１６内部への水や汚れの浸入を防止することができる。
【００４８】
なお、本実施の形態４では発砲ウレタン製のシールテープ２５としているが、動作、作用を満足すればどのような材料、工法で構成されてもかまわない。また、シールテープ２５はフランジ部１７の下面側に配設しているが、キッチンカウンター１６側であってもかまわない。
【００４９】
実施の形態５．
図７は、本発明の第５の実施の形態における組込み型の誘導加熱調理器の要部断面図である。なお、本実施の形態５の基本構成は実施の形態２と同様であるので、その説明は省略し、相違点を中心に説明する。また実施の形態２と同じ機能には同じ符号を付してその説明を省略する。
【００５０】
図７に示すように、本実施の形態の構成は、実施の形態２に記載の構成とは、トッププレート５の端縁部下方におけるアンダーフレーム２６に、下方に突出する凹部（接着剤収容溝）３１を設け、この凹部３１でトッププレート５、アンダーフレーム２６及び飾り板１４を同時に接着固定する構成とした点、及びシール材であるシールテープ２５が、図４と同様に設けられている点が相違する。すなわち、トッププレートユニット２７において、トッププレート５の外周縁近傍のアンダーフレーム２６の部位に下方に突出した凹部３１を形成することにより、凹部３１に予め接着剤３２を所定量だけ塗布した後、トッププレート５を載置し、さらに飾り板１４を載置してトッププレート５とアンダーフレーム２６と飾り板１４を同時に接着、固定するよう構成し、その後飾り板１４を曲げて折り合わせ部１５を構成するようにしている点である。
【００５１】
以上のように構成された誘導加熱調理器について、以下その作用・効果を説明する。
【００５２】
トッププレート５の外周縁近傍のアンダーフレーム２６の部位に下方に突出した凹部３１を形成して予め接着剤３２を所定量だけ塗布した後、トッププレート５を載置し、さらに飾り板１４を載置してトッププレート５とアンダーフレーム２６と飾り板１４を同時に接着、固定するようにしているため、トッププレートユニット２７を製作する工数が簡素化され、調理面となるトッププレート５からの水や汚れの浸入に対して、侵入経路を広い範囲で遮断することができ、本体外郭２内部への水や汚れの浸入を防止する効果を奏する。
【００５３】
なお、上記構成において、キッチンカウンター１６にその天面から一段低い位置で略水平に延びる段部１８を設け、この段部１８にアンダーフレーム２６がはまり込むように配置するとともに、凹部３１の底面と段部１８の上面とのクリアランスを所定の値に設定すると、折り合わせ部１５の下面で誘導加熱調理器１の全重量を通常支えているものの、何らかの理由で誘導加熱調理器１の全重量を折り合わせ部１５の下面で支えることができない事態が発生して調理面であるトッププレート５が下方に沈み込むと、凹部３１の底面が段部１８の上面に当接して、この当接部と折り合わせ部１５の下面で誘導加熱調理器１の全重量を支えることができる。
【産業上の利用可能性】
【００５４】
以上のように、本発明にかかる組込み型加熱調理器は、調理面もしくは略調理面に耐熱ガラス製のフラットデザインを有した全ての組込み型加熱調理器に適用できる。
【図面の簡単な説明】
【００５５】
【図１】本発明の第１の実施の形態における組込み型加熱調理器の要部断面図
【図２】図１の加熱調理器を構成する本体ケースの斜視図
【図３】図１の加熱調理器を構成するトッププレートユニットの分解斜視図
【図４】本発明の第２の実施の形態における組込み型加熱調理器の要部断面図
【図５】本発明の第３の実施の形態における組込み型加熱調理器の要部断面図
【図６】本発明の第４の実施の形態における組込み型加熱調理器の要部断面図
【図７】本発明の第５の実施の形態における組込み型加熱調理器の要部断面図
【図８】従来の組込み型加熱調理器の要部断面図
【図９】従来の組込み型加熱調理器の要部断面図
【符号の説明】
【００５６】
１    誘導加熱調理器
１ａ  誘導加熱コイル
１ｂ  インバーター回路
１ｃ  冷却装置
２    本体ケース
２ａ  固定片
３，１２，２０，２７    トッププレートユニット
３ａ  吸気口
３ｂ  排気口
４，１３，２１，２６    アンダーフレーム
４ａ  取付フック
４ｂ  溝部
５    トッププレート
６，１４，２２    飾り板
７，１７，２３  フランジ部
８，１５，２４    折り合わせ部
９，１６    キッチンカウンター
１０  接着剤
１８  段部
２５  シールテープ
３１  凹部
３２  接着剤
【図１】
0004647600.tif 000002
【図２】
0004647600.tif 000003
【図３】
0004647600.tif 000004
【図４】
0004647600.tif 000005
【図５】
0004647600.tif 000006
【図６】
0004647600.tif 000007
【図７】
0004647600.tif 000008
【図８】
0004647600.tif 000009
【図９】
0004647600.tif 000010